(57)【要約】      （修正有）【課題】風雨に強く耐久性に優れ、綺麗な状態を持続させ、作成手間を省き、取付けを簡単にし、労力の省力化を図り、塵の飛散を防止し、触感や素材の厚さ等和紙本来の質感を醸し出すことのできる素材を用いて連続性のある注連縄用等の垂を提供する。【解決手段】切り込み３や半折部切り込み７を加工した後、半折部を開いた状態の平面図である。この形状を作成するには、数枚あるいは数十枚の重ねたビニ−ル樹脂素材を、機械等で一括して各々の切り込みを入れる事で作成する事も出来る。さらに、開いた垂を切り込み３に沿って手前に回転させながら段を構成する折り曲げ部４で折り目をつけ整形する。【選択図】図８
0003116451.tif 000002
【実用新案登録請求の範囲】
【請求項１】
ビニ−ル樹脂性の素材を利用して垂（１）を作成することを特徴とする、連続性の有る注連縄や御幣、玉串等に付ける垂。
【請求項２】
垂（１）全体を様々な色の単一色に、或は垂の上方部（１オ）部分のみを異なった色に着色した事を特徴とする請求項１記載の垂。
【請求項３】
垂（１）を構成する切り込み（３）を素材に対して斜や直角に取り、且つ上段部から下段部にかけて順次幅広になるように位置取りをした事を特徴とする請求項１〜請求項２記載の垂。
【請求項４】
ビニ−ル樹脂性の素材を数枚重ね合わせて左右対称の垂を作成する事を特徴とする請求項１〜請求項３記載の垂。
【請求項５】
垂の上方部（１オ）に片面が接着可能な部材（２）の一部分を張り付けた状態に有る事を特徴とする請求項１〜請求項４記載の垂。
【考案の詳細な説明】
【技術分野】
【０００１】
本考案は、風雨に強く耐久性に優れ、綺麗な状態を持続、作成手間を省き、取付けをも簡略にして労力の省力化が出来る特徴を持った連続性の有る注連縄等に付ける垂に関するものである。
【背景技術】
【０００２】
神社の鳥居やお祭り時の町内等を、長距離に亘って張り巡らす連続性のある様々な注連縄に使用する垂の素材としては、従来から半紙や障子紙、或は和紙等の紙類を使用して作ることが多い。これらの垂は風雨に弱く、一度風雨にさらされると途中から千切れて塵になり、付近を汚したり見栄えが悪くなったりする事が多々有る。こういった事から、短期間でも飾り付け時の綺麗な状態に保持する事は難しく、神聖で楽しい祭り気分の飾り付け効果も低下する事が多い。祭典の時にはこの様な注連縄は無い方が良いと感じる場合も有る。また途中から千切れた部分の取替えをするにしても垂の作成から取付けまで多くの時間と労力を要する。
【０００３】
上記垂の作成方法としては、適度な大きさの紙に切り込みを入れる、さらにこの紙を切り目に沿い山谷の折り目に従い手前側に回転させながら下方向に順次折って行く、この様にして作成をしている。この場合一度に多くの紙を重ね作業をすると、紙のずれを生じる、また垂を個々に分ける場合絡み合い分割するのが難しい、したがって単体を多くの手間隙を掛けて多数作成をする事と成っていた。次に、注連縄に垂を取り付ける方法としては、連続性のある注連縄やこれに類する縄等の縒りを返し、隙間を作りその間に垂の上方部を差し込んで固定し飾り付けをしている。この作業は煩雑な事から多くの時間と労力を要する作業となっていた。
【０００４】
また、近年は洋紙、布、或は金属箔やガラス板等の素材で作成される事も有る、しかしこれらは垂本来の和紙との素材の違和感は否めない。
【特許文献１】特開２００４−２５５０７９号公報
【考案の開示】
【考案が解決しようとする課題】
【０００５】
本考案において、解決しようとする課題は、作成手間を省き、風雨に強く、綺麗な状態を持続させる。また、取付けを簡単にし、労力の省力化を図り、塵の飛散を防止する。さらに、触感や素材の厚さ等和紙本来の質感を醸し出すことのできる素材を用いて連続性のある注連縄用等の垂を提供する。
【課題を解決するための手段】
【０００６】
前述垂（１）を、風雨に強いビニ−ル樹脂性の素材を利用して作成する。また、垂の上方部（１オ）に片面が接着可能な部材（２）の一部分を張り付けた垂を作る。
【考案の効果】
【０００７】
本考案の垂（１）は、ビニ−ル樹脂素材を利用する事によって、風雨に強く、綺麗な状態を持続出来る。また、塵の飛散を防止できる。保存が可能。長期に亘って利用可能といった利点が生まれる。また本来の半紙や和紙等の素材に類似した品質を醸し出すことも可能である。よって垂本来の美しさや高貴さ、或は神聖さと言った事柄を充分満足する事が出来る。さらに、垂の上方部（１オ）に片面が接着可能な部材（２）を付加する事により、取付けが簡単となり労力の省力化が出来る。
【０００８】
次に、例えば垂（１）全体を白の単一色で作れば従来の垂本来の質感が得られる。また垂（１）を白色にし、垂の上方部（１オ）の部分を注連縄等の同色で色付けすれば注連縄等との一体感を生み出す事も出来る。
【０００９】
さらに、垂（１）を構成する為の切り込み（３）を素材に対して、斜や直角で構成し、且つ上段部（１ア）から下段部（１エ）にかけて順次幅広になるように切り込み（３）の位置取りをして作成すれば、垂（１）は少し丸みを帯びた末広の形を生み出し、至福感を満足させる事が出来る。以上のような効果がある。
【考案を実施するための最良の形態】
【００１０】
本考案に係る耐風水性垂の第１実施形態を、図１乃至図５に基づき説明して行く。図１はビニ−ル樹脂素材を利用して作成した、垂（１）の全体形状である。
【００１１】
上記形状の垂（１）を作成する最良の形態としては、図２の平面図に示すように垂（１）の素材の短辺側a−bを８等分し、図に示す各々のポイントに向かって、垂れ下がりを構成する為の切り込み（３）を３箇所入れる。この切り込みは長辺側ｂ−ｃの長さに対し４分の１程度の切り込み交差間隔d-eを前記長辺側b−cの中央部に設ける。また段を構成する折り曲げ部（４）は図で示すように折り曲げ部左側の切り込みに対して直角に折ることを基本とする。
【００１２】
上記のようにして製作した垂（１）は、形状やバランスが良く美しく仕上げる事が出来る。しかしこのような寸法形状にとらわれる必要は無く、垂の長さや垂れ下がりの数によっては自在に変化させる事も可能である。しかし、切り込み部（３）は斜めに構成した方が全体の形状や見た目にも美しく仕上げる事が出来る。
【００１３】
垂（１）は、複数枚をもって１単位として取り扱うことが通常である。従って前述の様にして作成した垂を複数重ね合わせ、垂の上方部（１オ）で互いを固定する事で、その場に応じた垂を作成することが可能となる。
【００１４】
次に図３は、垂の上方部（１オ）の正面拡大図、図４は垂の上方部（１オ）の側面拡大図である。図３、図４に示すように垂の上方部（１オ）に片面が接着可能な部材（２）の一部分を貼り付け、残り一部分は剥離容易な接着面防護の部材（５）を貼り付ける。これは垂（１）を注連縄等に取付けの際に活用する。従って垂作成と同時に貼り付けて置く必要は無く、取り付けの際に付加することも可能である。
【００１５】
図５は、連続性の有る注連縄等に垂（１）を取り付けた状態の側面拡大図である。図の様に注連縄等の垂を取付ける部材（６）を、垂の上方部（１オ）及び片面が接着可能な部材（２）で巻き込むようにし、剥離容易な接着部防護の部材（５）を取り除き、対面する垂（１）或は垂の上方部（１オ）に貼り付ける。この工程により、これまでの連続性のある注連縄等の煩雑な固定作業を単純化し、多くの時間と労力を省くことが出来る。
【００１６】
次に本考案に係る耐風水性垂の第２実施形態を、図６乃至図９に基づき説明して行く。図６は、左右対称の垂（１）を作成する為のビニ−ル樹脂素材を、数枚重ねて半折りにし、垂れ下がりを構成する為の切り込み（３）、段を構成する折り曲げ部（４）及び半折部切り込み（７）等の位置形状を示す斜視図である。
【００１７】
上記斜視図に於いて、垂れ下がりを構成する為の切り込み（３）位置や、切り込み交差間隔d-e、或は段を構成する折り曲げ部（４）は〔００１１〕項で述べた第１実施形態と同様の位置取りが形状やバランス良く美しく仕上げる事が出来る。また此処でも寸法形状にとらわれる必要は無く自在に変化させる事も可能なことは言うまでも無い。
【００１８】
図７は、斜視図に示す切り込み（３）や半折部切り込み（７）を加工した後、半折部を開いた状態の平面図である。この形状を作成するには、数枚あるいは数十枚の重ねたビニ−ル樹脂素材を、機械等で一括して各々の切り込みを入れる事で作成する事も出来る。さらに図８で示すように、開いた垂を切り込み（３）に沿って手前に回転させながら段を構成する折り曲げ部（４）で折り目をつけ整形する。
【００１９】
次に、垂上方部の折り曲げ部（８）に沿って折り曲げ、垂（１）を左右反対に交差させれば図９のような左右対称の綺麗な垂（１）を作成することが出来る。また図１０の様に、第１実施形態の垂（１）を２つ利用しても左右対称の垂を作成する事が出来る、しかしこの場合左右の折り下げる方向は異なることになる。
【００２０】
上記垂上方部の折り曲げ部（８）の折り曲げ方法は、先ず左右の垂上方部の折り曲げ部（８）に沿って軽く折り目を付ける、この場合左右とも山折谷折どちらでも良い。次に左右各々の垂上方部の折り目が合致するように交差させる。このように折って行くと垂上方部（１オ）は下方を向いた状態となる。
【００２１】
垂の上方部（１オ）に片面が接着可能な部材（２）を付加する方法は、横に連続性のある物に付いては、図３の様に縦に、或は縦に連続性のある物に付いては図１１の様に横向きに付加すれば垂（１）の固定がより簡単強固に出来る。しかし付加する方法はこの２方向に限定される事無く付加条件により縦、横、斜何れの方向でも可能である。この付加する方法は、第１実施形態及び第２実施形態其々の垂の上方部（１オ）の形状が異なっていても同様である。
【００２２】
片面が接着可能な部材（２）は、事前に垂に付加しておけば注連縄等への取り付けが容易である。この場合は図４の様に片面が接着可能な部材（２）の一部に剥離容易な接着部防護の部材（５）を貼り付けて置く。また、垂を注連縄等へ取り付けの際に付加することも可能である。この場合は片面が接着可能な部材（２）の全面に剥離容易な接着部防護の部材（５）を貼り付けたもの、或は市販の片面が接着可能な素材を利用して付加する。
【００２３】
上記の様にして作成した垂は、連続性の有る注連縄のみならず御幣や玉串、幣串等に幅広く活用する事も可能であり使用範囲も広がって来る。
【図面の簡単な説明】
【００２４】
【図１】本考案に係る耐風水性垂の第１実施形態の全体正面図である。
【図２】第１実施形態の垂を構成する為の切り込み（３）、切り込み交差間隔、また折り曲げ部（４）等の位置や形状を示した正面図である。
【図３】第１実施形態の片面が接着可能な部材（２）を取り付けた状態の、垂の上方部（１オ）の拡大正面図である。
【図４】第１実施形態の片面が接着可能な部材（２）を取り付けた状態の、垂の上方部（１オ）の拡大側面図である。
【図５】第１実施形態の垂（１）を注連縄等に取り付けた状態を示す拡大側面図である。
【図６】本考案に係る耐風水性垂の第２実施形態の、半折した素材に、垂を構成する為の切り込み（３）、切り込み交差間隔、段を構成する折り曲げ部（４）また半折部切り込み（７）等の位置や形状を示した斜視図である。
【図７】図６で加工した後、半折部を開いた状態の正面図である。
【図８】図７で開いた垂を、切り込み（３）に沿って手前に回転させながら段を構成する折り曲げ部（４）で折り目をつけ整形した状態の正面図である。
【図９】図８で作成した垂を、垂上方部の折り曲げ部（８）に沿って折り曲げ、完成させた左右対称の垂の正面図である。
【図１０】第１実施形態の垂（１）を複数利用し、左右対称の垂を作成した１例の正面図である。
【図１１】片面が接着可能な部材（２）を縦とは違方向に取り付けた１例の、垂の上方部（１オ）の拡大正面図である。
【図１２】第２実施形態の、左右対称の垂の上方部（１オ）の折り曲げ部（８）に沿って軽く折り目を付ける状態を示す上方部拡大図である。
【図１３】第２実施形態の、左右の垂（１）の各々の上方部（１オ）の折り目（８）に沿い折り曲げた交差状態を示す正面図である。
【符号の説明】
【００２５】
１            垂  
１ア乃至１エ  垂を構成する段
１オ          垂の上方部
２            片面が接着可能な部材
３            垂を構成する為の切り込み
４            段を構成する折り曲げ部 
５            剥離容易な接着面防護の部材
６            注連縄等の垂を取付ける部材
７            半折部切り込み
８            垂上方部の折り曲げ部
【図１】
0003116451.tif 000003
【図２】
0003116451.tif 000004
【図３】
0003116451.tif 000005
【図４】
0003116451.tif 000006
【図５】
0003116451.tif 000007
【図６】
0003116451.tif 000008
【図７】
0003116451.tif 000009
【図８】
0003116451.tif 000010
【図９】
0003116451.tif 000011
【図１０】
0003116451.tif 000012
【図１１】
0003116451.tif 000013
【図１２】
0003116451.tif 000014
【図１３】
0003116451.tif 000015